(57)【要約】【課題】梱包された遊技台を積み上げる際、その安定性を向上すること。【解決手段】本発明の遊技台は、梱包帯を入り込ませるための溝を有する底面部を備えたことを特徴とする。【選択図】  図１
2011004829.tif 000002
【特許請求の範囲】
【請求項１】
梱包帯を入り込ませるための溝を有する底面部を備えたことを特徴とする遊技台。
【請求項２】
前記溝の側壁と前記底面部との境界部分、及び、前記溝の側壁と前記溝の底壁との境界部分の少なくともいずれか一方を、傾斜面又は弧状面としたことを特徴とする請求項１に記載の遊技台。
【請求項３】
前記溝は、前記底面部の一端から、他端への途中まで形成されていることを特徴とする請求項１に記載の遊技台。
【請求項４】
前記溝が、
第１の溝と、前記第１の溝と交差する第２の溝と、を含み、
前記第１の溝と前記第２の溝との交差部分の溝の深さが、他の部分よりも深いことを特徴とする請求項１に記載の遊技台。
【請求項５】
前記溝は、前記遊技台の左右方向に前記底面部を横断し、
前記遊技台は、
梱包帯を入り込ませるための溝を有する一対の側面部と、
梱包帯を入り込ませるための溝を有する天面部と、
を備え、
前記一対の側面部の各々の前記溝は、前記遊技台の上下方向に前記側面部を横断すると共に前記底面部の前記溝と連続し、
前記天面部の前記溝は、前記遊技台の左右方向に前記天面部を横断すると共に前記一対の側面部の各々の前記溝と連続していることを特徴とする請求項１に記載の遊技台。
【請求項６】
前記一対の側面部には、それぞれ、前記側面部の前記溝から離間した位置に取っ手部が設けられていることを特徴とする請求項５に記載の遊技台。
【請求項７】
底面部、一対の側面部、背面部及び天面部を有し、前面が開放したキャビネットと、
前記キャビネットの前面に開閉自在に取り付けられた前面扉と、
を備えたスロットマシンにおいて、
前記底面部が、梱包帯を入り込ませるための溝を有することを特徴とするスロットマシン。
【請求項８】
前記溝が、前記スロットマシンの奥行き方向に形成され、
前記前面扉の底面部が、前記溝と連続する、梱包帯を入り込ませるための溝を有することを特徴とする請求項７に記載のスロットマシン。
【請求項９】
前記キャビネットの前記天面部が、前記スロットマシンの奥行き方向に形成された、梱包帯を入り込ませるための溝を有し、
前記前面扉の天面部が、前記キャビネットの前記天面部の前記溝と連続する、梱包帯を入り込ませるための溝を有することを特徴とする請求項７に記載のスロットマシン。
【請求項１０】
底面部、一対の側面部、背面部及び天面部を有し、前面が開放したキャビネットと、
前記キャビネットの前面に開閉自在に取り付けられた前面扉と、
前記キャビネット内に収納され、複数種類の図柄が施された、回転駆動される複数のリールと、
前記キャビネット内に収納された制御回路と、
前記前面扉に設けられ、前記複数のリールを露出させるリール表示窓と、
前記前面扉に設けられ、遊技の開始操作を受け付けるスタートレバーと、
前記前面扉に設けられ、前記リールの停止操作を受け付けるストップボタンと、
を備えたスロットマシンにおいて、
前記キャビネットの前記底面部、前記一対の側面部、及び、前記天面部に渡って連続して形成され、梱包帯を入り込ませるための溝を有することを特徴とするスロットマシン。
【発明の詳細な説明】
【技術分野】
【０００１】
本発明は、スロットマシン（パチスロ）等の遊技台に関する。
【背景技術】
【０００２】
一般にスロットマシンに代表される遊技台は、本体部と、その前面に開閉自在に取り付けられた前面扉と、を備え（例えば特許文献１）、本体部はその外壁をなすキャビネットを有している。多くの場合、キャビネットは、板部材等で構成され、リールや制御基板、ホッパといった遊技装置がキャビネット内に収容される。このような遊技台の多くは、遊技店において、島と呼ばれる場所に設置される。
【０００３】
キャビネットは、島に設置されることを考慮して、通常、平面上の板部材等を組み合わせて構成される。例えば、底面板と、天面板と、背面板と、側面板とを組み付けてキャビネットが形成される。キャビネットは、島の内側に押し込まれて設置されるため、キャビネットの大部分は遊技者からは視認できない。つまり、遊技者がキャビネットに触れることは困難であり、また、キャビネット部分は視認困難に設置される性格を有する。更に、島に対する遊技台の設置効率を考慮して、島の内側の設置部に対して、隙間なく、島側の収容開口部にほぼ同じ大きさのキャビネットを連続して設置できるように設計される。
【先行技術文献】
【特許文献】
【０００４】
【特許文献１】特開２００６−１５８７２０号公報
【発明の概要】
【発明が解決しようとする課題】
【０００５】
ところで、多くの遊技台は、遊技店に設置される前に製造メーカ等で製造後に一時的に保管することとなる。そして、遊技台は一時的に保管された後に遊技店まで輸送される。大型の遊技店や、人気機種となると、設置する遊技台の台数も多くなる場合があり、輸送前の一時的な専用の保管庫などを準備する必要も生じ得る。この保管庫では、遊技台は、輸送する時に接触等により生じる傷などを考慮して、遊技台をダンボール等の梱包部材で覆い、さらにバンド等の梱包帯を周囲に巻きつけることで梱包されて保管される。保管庫での収容効率を高めるため、或いは、輸送時の輸送効率を高めるため、梱包された遊技台（以下、梱包体ともいう。）は上下に積み上げられて保管ないし輸送される場合がある。
【０００６】
しかし、梱包帯が巻かれた部分はその他の部分と比較して、略梱包帯の厚さの分だけ厚みが増す。このため、梱包体を積み上げると、設置面と最下段の梱包体の底面との間、或いは、上下の梱包体の間に、梱包帯が介在することで梱包体の安定性が損なわれて、高く積み上げることができない場合がある。これは保管効率の悪化に繋がる。また、近年では、演出の多様化により、大型で重量のある演出装置や大型で重量のある可動演出装置を前面扉に組み付けたことにより前面扉側に重心が偏った遊技台も存在する。このような遊技台の梱包体を積み上げると、少しの衝撃で傾倒する場合がある。
【０００７】
本発明の目的は、梱包された遊技台を積み上げる際、その安定性を向上することにある。
【課題を解決するための手段】
【０００８】
本発明によれば、梱包帯を入り込ませるための溝を有する底面部を備えたことを特徴とする遊技台が提供される。
【発明の効果】
【０００９】
本発明によれば、梱包された遊技台を積み上げる際、その安定性を向上することができる。
【図面の簡単な説明】
【００１０】
【図１】第１実施形態に係るスロットマシン１００の斜視図。
【図２】前面扉１０１を開けた状態のスロットマシン１００を示す正面図。
【図３】上下を反転された状態でのキャビネット１０の斜視図。
【図４】（ａ）及び（ｂ）は梱包部材にスロットマシン１００を収容した例を示す図。
【図５】（ａ）は半梱包体ＥＮ１に梱包帯を巻き付けるシステムの説明図、（ｂ）は梱包帯ＳＴの接合部分を示す図である。
【図６】（ａ）は梱包帯ＳＴを巻きまわして梱包が完了した梱包体ＥＮ２の斜視図、（ｂ）は溝１１ｙ近傍の断面図、（ｃ）は溝１３ｙ近傍の断面図である。
【図７】梱包体ＥＮ２を段積みした状態を示す図。
【図８】（ａ）は第２実施形態に係るスロットマシン１００の斜視図、（ｂ）は、底面部１３に形成される溝１３ｙ'近傍の断面図。
【図９】（ａ）は、第３実施形態のキャビネット１０’を示す、上下を反転した状態の斜視図、（ｂ）は溝ｇｒを通過するように梱包帯ＳＴをスロットマシンに巻き回した態様を示す下部側面視図。
【図１０】（ａ）は第４実施形態に係るスロットマシン１００の斜視図、（ｂ）及び（ｃ）は第５実施形態に係るスロットマシン１００の斜視図。
【図１１】キャビネット１０の構成例を示す図である。
【発明を実施するための形態】
【００１１】
＜第１実施形態＞
＜全体構成＞
図１に示すスロットマシン１００は、本体部１０１と、本体部１０１の正面に取り付けられ、本体部１０１に対して開閉可能な前面扉１０２と、を備える。本体部１０１の中央内部には、（図示省略）外周面に複数種類の図柄が配置されたリールが３個（左リール１１０、中リール１１１、右リール１１２）収納され、スロットマシン１００の内部で回転できるように構成されている。これらのリール１１０乃至１１２はステッピングモータ等の駆動装置により回転駆動される。
【００１２】
本実施形態において、各図柄は帯状部材に等間隔で適当数印刷され、この帯状部材が所定の円形筒状の枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合わせが変動することとなる。つまり、各リール１１０乃至１１２は複数種類の図柄の組み合わせを変動可能に表示する表示装置として機能する。なお、このような表示装置としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１３】
各々のリール１１０乃至１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０乃至１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０乃至１１２を停止させる。
【００１４】
入賞ライン表示ランプ１２０は、有効となる入賞ライン１１４を示すランプである。有効となる入賞ラインは、遊技媒体としてベットされたメダルの数によって予め定まっている。入賞ライン１１４は５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ライン１１４の数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。
【００１５】
告知ランプ１２３は、例えば、内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１６】
ベットボタン１３０乃至１３２は、スロットマシン１００に電子的に貯留されているメダル（クレジットという）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１７】
メダル投入口１４１は、遊技を開始するに当たって遊技者がメダルを投入するための投入口である。すなわち、メダルの投入は、ベットボタン１３０乃至１３２により電子的に投入することもできるし、メダル投入口１３４から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。貯留枚数表示器１２５、遊技情報表示器１２６、および、払出枚数表示器１２７は、７セグメント（ＳＥＧ）表示器とした。
【００１８】
スタートレバー１３５は、リール１１０乃至１１２の回転を開始させるためのレバー型のスイッチである。即ち、メダル投入口１４１に所望するメダル枚数を投入するか、ベットボタン１３０乃至１３２を操作して、スタートレバー１３５を操作すると、リール１１０乃至１１２が回転を開始することとなる。スタートレバー１３５に対する操作を遊技の開始操作と言う。
【００１９】
ストップボタンユニット１３６には、ストップボタン１３７乃至１３９が設けられている。ストップボタン１３７乃至１３９は、スタートレバー１３５の操作によって回転を開始したリール１１０乃至１１２を個別に停止させるためのボタン型のスイッチであり、各リール１１０乃至１１２に対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００２０】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。
【００２１】
ストップボタンユニット１３６の下部には、機種名の表示と各種証紙の貼付とを行うタイトルパネル１６２が設けられている。タイトルパネル１６２の下部には、メダル払出口１５５、メダルの受け皿１６１が設けられている。
【００２２】
音孔１８０はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された液晶表示装置１５７（図示省略、演出画像表示装置）を備えており、右シャッタ１６３ａ、左シャッタ１６３ｂが液晶表示装置１５７の手前で水平方向外側に開くと液晶表示装置１５７（図示省略）の表示画面がスロットマシン１００正面（遊技者側）に出現する構造となっている。
【００２３】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成している。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
【００２４】
本体部１０１は、その外壁をなす、前面が開放したキャビネット（箱体）１０を備える。キャビネット１０は、天面部１１、左側及び右側の一対の側面部１２、底面部１３及び背面部１４を備え、その内部には遊技に関わる装置を含む各種の装置が収容される。各側面部１２には、それぞれ取っ手部ＨＤが設けられている。取っ手部ＨＤはスロットマシン１００を搬送する際に作業者が把持するためのものである。
【００２５】
図２は、前面扉１０１を開けた状態のスロットマシン１００を示す正面図である。本体部１０１の内部には、背面部１４の上部に設けた通風口２４９と重ならない位置に、内部に主制御基板を収納した主制御基板収納ケース２１０が配置され、この主制御基板収納ケース２１０の下方に、３つのリール１１０乃至１１２が配置されている。主制御基板収納ケース２１０及びリール１１０乃至１１２の側方、即ち向かって左側の側面部１２には、内部に副制御基板を収納した副制御基板収納ケース２２０が配設してある。また、向かって右側の側面部１２には、主制御基板に接続されて、スロットマシン１００の情報を外部装置に出力する外部集中端子板２４８が取り付けられている。
【００２６】
そして、底面部１３には、メダル払出装置１８０（バケットに溜まったメダルを払出す装置）が配設され、このメダル払出装置１８０の上方、即ちリール１１０乃至１１２の下方には、電源基板を有する電源装置２５２が配設され、電源装置２５２正面には電源スイッチ２４４を配設している。電源装置２５２は、スロットマシン１００に外部から供給される交流電源を直流化し、所定の電圧に変換して主制御部３００、第１副制御部４００等の各制御部、各装置に供給する。さらには、外部からの電源が断たれた後も所定の部品（例えば主制御部３００のＲＡＭ３０８等）に所定の期間（例えば１０日間）電源を供給するための蓄電回路（例えばコンデンサ）を備えている。
【００２７】
メダル払出装置１８０の右側には、メダル補助収納庫２４０が配設してあり、この背後にはオーバーフロー端子が配設されている（図示省略）。電源装置２５２には、電源コード２６４を接続する電源コード接続部が設けられ、ここに接続された電源コード２６４が、背面部１４に開設した電源コード用穴２６２を通して外部に延出している。
【００２８】
前面扉１０２は、キャビネット１０の左側の側面部１２にヒンジ装置２７６を介して蝶着され、図柄表示窓１１３の上部には、演出装置１６０、および、この演出装置１６０を制御する演出制御基板（図示省略）、上部スピーカ２７２、を設けている。図柄表示窓１１３の下部には、投入されたメダルを選別するためのメダルセレクタ１７０、このメダルセレクタ１７０が不正なメダル等をメダル受皿１５６に落下させる際にメダルが通過する通路２６６等を設けている。さらに、音孔１６０に対応する位置には低音スピーカ２７７を設けている。
【００２９】
＜キャビネット１０の構成＞
図１及び図３を参照してキャビネット１０の構成について説明する。図３は、上下を反転された状態でのキャビネット１０の斜視図である。本実施形態の場合、天面部１１、一対の側面部１２、底面部１３及び背面部１４に、それぞれ、溝１１ｘ及び１１ｙ、溝１２ｚ、溝１３ｘ及び１３ｙ、溝１４ｚ（以下、総称するときは溝ｇｒという。）が形成されている。溝ｇｒは、スロットマシン１００の梱包に用いる梱包帯を入り込ませるための溝である。
【００３０】
溝ｇｒの断面形状は本実施形態の場合、方形であるが、台形等、他の形状であってもよい。溝ｇｒの幅及び深さは、梱包帯に応じて定めることができ、溝ｇｒの幅は梱包帯の幅以上で、溝ｇｒの深さは梱包帯の厚さ以上であることが望ましい。後述するように、本実施形態では、ダンボール箱等の梱包部材にスロットマシン１００を収容して梱包するが、このような場合、梱包部材の厚みを考慮し、また、通常、梱包帯の幅は数ｃｍ、厚さは数ｍｍから数ｃｍ程度であるので、溝ｇｒの幅は１〜３ｃｍ、溝ｇｒの深さは１ｃｍ〜３ｃｍ程度であることが望ましい。
【００３１】
本実施形態の場合、溝１１ｘは天面部１１を左右方向に横断し、溝１１ｙは天面部１１を奥行き方向に横断している。溝１２ｚは、その上端で溝１１ｘと連続しており、側面部１２を上下方向に横断している。取っ手部ＨＤはこの溝１２ｚから奥行き方向に離間した位置に設けられている。溝１３ｘは底面部１３を左右方向に横断し、溝１３ｙは底面部１３を奥行き方向に横断している。溝１３ｘは、溝１２ｚの下端で溝１２ｚと連続している。溝１４ｚは、背面部１４を上下方向に横断し、その上端で溝１１ｙと連続しており、その下端で溝１３ｙと連続している。
【００３２】
＜梱包例＞
図４（ａ）及び（ｂ）は梱包部材にスロットマシン１００を収容した例を示す図である。図４（ａ）は梱包部材としてダンボール箱２０にスロットマシン１００を収容する途中の状態を示す。ダンボール箱２０はスロットマシン１００の収容時に、その６面全部を覆うが、スロットマシン１００の取っ手部ＨＤが露出するように、開口部２１が形成されている。図４（ｂ）も梱包部材としてダンボール箱３０によりスロットマシン１００を収容する途中の状態を示しているが、ダンボール箱３０はその底面部が開口したものである。したがって、ダンボール箱３０にスロットマシン１００を収容した状態においては、スロットマシン１００の底面は露出した状態にある。このようなダンボール箱３０を梱包に使用してもよい。ダンボール箱３０にも、スロットマシン１００の取っ手部ＨＤが露出するように、開口部３１が形成されている。なお、梱包部材はダンボール箱以外のものも適宜利用可能である。
【００３３】
次に、このようにスロットマシン１００を梱包部材に収容した半梱包体に梱包帯を巻き付けて梱包体とする。図５（ａ）は半梱包体ＥＮ１に梱包帯を巻き付けるシステムの説明図である。このシステムでは、ローラコンベア５１上を半梱包体ＥＮ１が搬送され、梱包帯取付機５０に導かれる。梱包帯取付機５０により、梱包帯が半梱包体ＥＮ１を締め付けるようにして巻きまわされる。このとき、梱包帯を巻き付ける位置を概ね溝ｇｒに合わせるようにする。図５（ｂ）に示すように梱包帯ＳＴは、その両端が互いに接合されて無端状にされる。梱包帯ＳＴは、例えば、ポリプロピレンから成るＰＰバンドであるが、紐またはベルト状のものであれば他の材料から成るものでもよい。
【００３４】
図６（ａ）は梱包帯ＳＴを巻きまわして梱包が完了した梱包体ＥＮ２の斜視図である。同図の例では、梱包帯ＳＴ１が、溝１１ｘ、溝１２ｚ、溝１３ｘ及び溝１２ｚの位置に巻きまわされ、梱包帯ＳＴ２が、溝１１ｙ、溝１４ｚ及び溝１３ｙの位置に巻きまわされている。
【００３５】
本実施形態では、溝ｇｒを設けたことにより、梱包帯ＳＴが溝ｇｒに入り込む。図６（ｂ）は、溝１１ｙ近傍の断面図である。同図に示すように、ダンボール箱２０を挟みながら梱包帯ＳＴ１が溝１１ｙに入り込んでいる。このため、梱包帯ＳＴがダンボール箱２０の表面から突出することが低減でき、溝ｇｒを形成していない正面を除き、各面をより平坦化できる。なお、図６（ｂ）は、図４（ｂ）の、底面がないダンボール箱３０を使用した場合の溝１３ｙ近傍の断面図である。同図の例の場合、梱包帯ＳＴ１が直接溝１３ｙに入り込んでおり、やはり平坦化できる。
【００３６】
図７は梱包体ＥＮ２を段済みした状態を示す。本実施形態の場合、キャビネット１０の天面部１１、底面部１３に、それぞれ、溝１１ｘ及び１１ｙ、溝１３ｘ及び１３ｙを形成したので、梱包帯ＳＴがこれらに入り込み、梱包体ＥＮ２の天面、底面をより平坦化できる。その結果、図７に示すように梱包体ＥＮ２を積み上げる際、その安定性を向上することができる。その結果、より高く梱包体ＥＮ２を積み上げることができ、倉庫保管時等において保管効率を向上できる。
【００３７】
また、一対の側面部１２、背面部１４に、それぞれ、溝１２ｚ、溝１４ｚを形成したので、梱包体ＥＮの側面、背面をより平坦化でき、これにより梱包体ＥＮ２を左右、奥行き方向に、よりぴったりと並べて積み上げることができ、倉庫保管時等において保管効率を向上できる。
【００３８】
また、側面部１２の溝１２ｚは取っ手部ＨＤから離間しているので、梱包時に梱包帯ＳＴが取って部ＨＤと重なることがなく、梱包体ＥＮ２の運搬を妨げることがない。更に、溝１１ｘ、溝１２ｚ、１３ｘ、溝１２ｚの組、及び、溝１１ｙ、溝１４ｚ、溝１３ｙの組、がそれぞれ同一平面上で連続しているので、梱包帯取付機５０により梱包帯ＳＴを巻きまわし易い。
【００３９】
なお、本実施形態では、天面部１１、一対の側面部１２、底面部１３及び背面部１４にそれぞれ溝を形成したが、すくなくとも底面部１３に溝を形成すれば、梱包体ＥＮ２を積み上げる際、その安定性を向上することができる。尤も、本実施形態のように天面部１１にも溝を形成することで、更に安定性を向上できる。また、天面部１１、底面部１３には、互いに交差する溝１１ｘ及び１１ｙと、溝１３ｘ及び溝１３ｙを形成したが、側面部１４のように一つの溝でもよい。また、一つの面部に互いに平行な溝を複数設けてもよい。
【００４０】
＜第２実施形態＞
上記第１実施形態では溝ｇｒの断面形状を方形としたが、梱包帯ＳＴの締め付け具合により、溝ｇｒの縁等によってダンボール箱等の梱包部材が傷つく場合がある。そこで、溝ｇｒの側壁と、キャビネット１０の表面との境界部分、及び、溝ｇｒの側壁と溝ｇｒの底壁との境界部分の少なくともいずれか一方を、傾斜面又は弧状面とすることが望ましい。
【００４１】
図８（ａ）は本実施形態におけるスロットマシン１００の斜視図である。同図の例では、上記第１実施形態の溝１１ｘ、溝１１ｙ、溝１２ｚ、溝１３ｘ、溝１３ｙ、溝１４ｚに相当し、これらと断面形状のみ異なる溝１１ｘ'、溝１１ｙ'、溝１２ｚ'、溝１３ｘ'、溝１３ｙ'、溝１４ｚ'が形成されている（溝１３ｘ'、溝１３ｙ'は同図に不図示。）。
【００４２】
図８（ｂ）は、底面部１３に形成される溝１３ｙ'近傍の断面図であり、溝１３ｙ'の底壁ＢＷと側壁ＳＷとの境界部分、及び、側壁ＳＷと底面部１３との境界部分をいずれも弧状面としたものである。このようにすることで、梱包帯ＳＴをきつく締め付けた場合であっても、溝１３ｙ'の底壁ＢＷと側壁ＳＷとの境界部分や側壁ＳＷと底面部１３との境界部分において、ダンボール箱等の梱包部材が破れる等、その傷つきを低減できる。
【００４３】
＜第３実施形態＞
スロットマシン１００の重心位置は、その内部の構成により、必ずしも中心にあるとは限らず、前側、後側或いは左右に偏っている場合がある。例えば、上記第１実施形態において、演出装置１６０が比較的重量物である場合、前側に重心位置が偏る。そうすると、スロットマシン１００を積み上げた時に、前側へ倒れ易くなる。
【００４４】
そこで、上記第１実施形態では、溝ｇｒが各面を横断するように構成したが、溝ｇｒは、面の一端から、他端への途中まで形成してもよい。図９（ａ）は、本実施形態のキャビネット１０’を示す、上下を反転した状態の斜視図である。同図の例の場合、底面部１３にのみ溝ｇｒが形成されている。溝ｇｒは、奥行き方向に形成され、正面側で深さが浅く、背面側で深さが深くなるよう、溝の深さが徐々に変化している。
【００４５】
この構成により、以下に説明するように重心位置の偏りを調整することができる。図９（ｂ）は溝ｇｒを通過するように梱包帯ＳＴをスロットマシンに巻き回した態様を示す下部側面視図である。同図の例では梱包部材は省略している。
【００４６】
同図に示すように、本実施形態の場合、底面部１３の背面側では梱包帯ＳＴが溝ｇｒに入り込み、梱包帯ＳＴが突出しないものの、正面側では溝ｇｒが突出することになる。その結果、スロットマシン１００は前側に倒れ難くなり、積み上げたときの安定性を向上できる。
【００４７】
なお、例えば、重心位置が背面側に偏っている場合は、底面部１３の正面側に溝ｇｒを形成し、重心位置が左側に偏っている場合は、底面部１３の右側に、左右方向溝ｇｒを形成すればよく、重心位置の偏りに応じてその反対側に溝を設ければよい。
【００４８】
＜第４実施形態＞
上記第１実施形態では、キャビネット１０にのみ溝ｇｒを形成したが、前面扉１０２にも溝を形成してもよい。図１０（ａ）は第４実施形態に係るスロットマシン１００の斜視図である。同図の例では、上記第１実施形態の構成において、前面扉１０２の天面部に、溝１５を更に形成している。溝１５は、溝１１ｙと連続しており、梱包時には、図６（ａ）に示す梱包帯１２ａが入り込むことになる。なお、前面扉１０２の天面部に限られず、底面部等に溝を形成してもよいことは言うまでもない。
【００４９】
＜第５実施形態＞
上記第１実施形態の溝１１ｘと溝１１ｙのように、溝ｇｒが交差する部分は、梱包帯ＳＴも交差することになるため、梱包帯ＳＴの突出量が多くなる。そこで、交差部分の溝の深さが、他の部分よりも深いことが好ましい。図１０（ｂ）及び（ｃ）は本実施形態に係るスロットマシン１００の斜視図である。
【００５０】
図１０（ｂ）の例は、溝１１ｘと溝１１ｙとの交差部分１１ｃｒの深さを、他の部分の約２倍にしたものである。図１０（ｃ）は上記第２実施形態との組み合わせであり、交差部分１１ｃｒ’の深さを他の部分よりも深くし、かつ、交差部分１１ｃｒ’に角張ったところがないように、交差部分１１ｃｒ’の側壁と非交差部分との境界部分及び交差部分１１ｃｒ’の側壁と底壁との境界部分を弧状面としたものである。
【００５１】
＜第６実施形態＞
キャビネット１０は、板材を組み合わせて形成できる。図１１はキャビネット１０の構成例を示す図である。同図の例では、天面部１１、一対の側面部１２、底面部１３及び背面部１４を、それぞれ、天面パネル１１ｐ、一対の側面パネル１２ｐ、底面パネル１３ｐ及び背面パネル１４ｐで形成している。パネル間の組み合わせは、同図の例のように、例えば、一対の側面パネル１２ｐ間に天面パネル１１ｐ及び底面パネル１３ｐが挟まれる構成でもよいし、天面パネル１１ｐ及び底面パネル１３ｐ間に一対の側面パネル１２ｐが挟まれる構成等、様々な組み合わせを選択できる。
【図１】
2011004829.tif 000003
【図２】
2011004829.tif 000004
【図３】
2011004829.tif 000005
【図４】
2011004829.tif 000006
【図５】
2011004829.tif 000007
【図６】
2011004829.tif 000008
【図７】
2011004829.tif 000009
【図８】
2011004829.tif 000010
【図９】
2011004829.tif 000011
【図１０】
2011004829.tif 000012
【図１１】
2011004829.tif 000013